(57)【要約】【課題】金属板をインサート成形して表面に取付台部を形成した電子機器の筐体について、反りの発生を抑制する。【解決手段】本発明は、周縁部に屈曲された補強部を一体に備えた金属板２０と、補強部を覆うようにインサート成形により形成された樹脂製の枠体２１とを備え、枠体２１は、金属板２０の表面側の表面に段差状の取付台部２１ａが形成されるとともに、金属板２０より表面側の肉厚Ｔ１２と裏面側の肉厚Ｔ１３とが等しく形成されている。【選択図】図４
2013089879.tif 000002
【特許請求の範囲】
【請求項１】
周縁部に屈曲された補強部を有する金属板と、前記補強部を覆うようにインサート成形により形成された樹脂製の枠体と、を備えた電子機器の筐体において、
前記枠体は、前記金属板の表面側の表面に段差状の取付台部が設けられるとともに、前記金属板より表面側の肉厚と裏面側の肉厚が略等しく形成されていることを特徴とする電子機器の筐体。
【請求項２】
前記枠体の断面において、前記金属板より表面側の断面積と裏面側の断面積とが略等しいことを特徴とする請求項１に記載の電子機器の筐体。
【請求項３】
前記金属板の補強部は、当該端部が前記枠体の内側から外側に向かって延びると共に、前記枠体の内側付近は略水平とされ、その水平部分から前記端部に向かって前記枠体の断面形状が前記金属板の表面側と裏面側とで略二分するように屈曲されていることを特徴とする請求項１又は請求項２に記載の電子機器の筐体。
【請求項４】
前記金属板の補強部は、前記金属板の表面側に向かって断面略山形状に拡開する第１の屈曲部分と、前記金属板の裏面側に向かって断面略山形状に拡開する第２の屈曲部分と、が隣接して形成され、前記各屈曲部分の傾斜面部間に位置する水平面部の一方を前記取付台部の水平面と平行に対向させたことを特徴とする請求項１乃至請求項３の何れか１項に記載の電子機器の筐体。
【請求項５】
前記枠体は、前記取付台部の内側に段差を有するとともに、前記取付台部の反対側に凹みを有することを特徴とする請求項１乃至請求項４の何れか１項に記載の電子機器の筐体。
【請求項６】
前記金属板の補強部は、前記枠体の全周の前記金属板の表面側と裏面側との肉厚に対して均一であることを特徴とする請求項１乃至請求項５の何れか１項に記載の電子機器の筐体。
【請求項７】
請求項１乃至請求項６の何れか１項に記載の前記補強部を一体に備えた金属板を用い、前記補強部を覆う前記枠体の形状に対して溶融樹脂材料の硬化に伴う収縮を考慮したうえで、前記金属板をインサートして前記枠体を射出形成するように所定形状に形成されていることを特徴とする金型。
【請求項８】
前記補強部の屈曲形状に伴う前記枠体の前記金属板に対する表面側と裏面側とに対応した溶融樹脂の流入スペースが均一であることを特徴とする請求項７に記載の金型。
【請求項９】
請求項７又は請求項８に記載の金型を用い、請求項１乃至請求項６の何れか１項記載の前記補強部を備えた前記金属板をインサートして前記枠体を形成することを特徴とするインサート成形装置。
【請求項１０】
請求項１乃至請求項６の何れか１項に記載の前記補強部を予め前記金属板にプレス成形するプレス成形ステップと、
請求項７又は請求項８に記載の金型を有するインサート成形装置に前記金属板をインサート下後に溶融樹脂材料を前記金型に供給するインサート成形ステップと、
を備えていることを特徴とする電子機器の筐体の成形方法。
【請求項１１】
請求項１乃至請求項６の何れか１項記載の前記補強部を前記枠体で覆った枠体と、該枠体に保持された操作パネルと、を備えていることを特徴とする電子機器。
【請求項１２】
請求項１乃至請求項６の何れか１項記載の前記補強部を前記枠体で覆った枠体と、該枠体に保持された液晶表示パネルと、を備えていることを特徴とする電子機器。
【発明の詳細な説明】
【技術分野】
【０００１】
本発明は、インサート成形により金属板の周囲に樹脂製の枠体を形成した電子機器の筐体、その成形金型及び成形方法、インサート成形装置、並びに電子機器に関するものである。
【背景技術】
【０００２】
近年の電子機器には、例えば、図７（Ａ）に示すように、本体部１と表示部２とを別々に構成し、ヒンジ部３を介して折り畳み可能とした携帯電話端末が周知である。
【０００３】
ここで、例えば、表示部２の周縁部では、例えば、図８（Ａ），（Ｂ）に示すように、防水機能を有する携帯電話端末としての剛性の確保や薄肉化・小型化を実現する構成を採用している。具体的には、薄肉の金属板４の周縁部にＲ状に屈曲した補強部４ａを一体に形成し、この補強部４ａを覆うようにインサート成形により樹脂製の枠体５を形成している（例えば、特許文献１，２参照）。
【０００４】
ところが、補強部４ａを枠体５で覆った場合、例えば、枠体５で保持する液晶パネル２ａ等の表示部２の構成部品を設置するための取付台部５ａが必要となる。したがって、防水機能を有する携帯電話端末等に用いられる枠体５は、全体的に内側（内周）に取付台部５ａを確保した額縁状（化粧フレーム枠状）の断面形状に形成される。
【０００５】
このため、金属板４の表面側（例えば、図８で上方）と裏面側（例えば、図８で下方）とでは、金属板４を挟む位置での枠体５は、肉厚Ｔ１と肉厚Ｔ２、肉厚Ｔ３と肉厚Ｔ４、で示すように、異なった肉厚となってしまう。
【０００６】
そして、このように金属板４の表面側と裏面側とで肉厚が異なる枠体５を成形する場合、図９（Ａ）に示すように、金属板４をインサートして溶融樹脂材料６を金型７内に供給する。そうすると、図９（Ｂ）に示すように、硬化に伴う収縮によって枠体５は金型７よりも小さくなるとともに、肉厚の差に起因して枠体５には反りが発生してしまう。
【０００７】
したがって、このような溶融樹脂材料６の収縮に伴う肉厚Ｔ１，Ｔ３と肉厚Ｔ２，Ｔ４のように差に起因する反りの発生は、例えば、図７（Ｂ）に示すように、表示部２の反りとなってしてしまい、高品質を確保することができないという問題が生じていた。また、このような反りの発生は、本体部１の先端に設けられた突当部品１ａに表示部２の表面が当接しなくなる。結果として、操作部の操作ボタン（図示せず）と表示部２の液晶パネル２ａとが当接してお互いに傷付くという不具合の要因となってしまう。
【０００８】
なお、図８（Ｃ）に示すように、金属板８の周縁部に直角状に屈曲する補強部８ａを形成し、補強部８ａを覆うように取付台部９ａと肉抜き部９ｂを一体に有する枠体９を形成すると共に、その補強部８ａを挟む肉厚Ｔ５，Ｔ６とを略均一とすることが考えられる（例えば、特許文献３参照）。
【先行技術文献】
【特許文献】
【０００９】
【特許文献１】特開２００９−０７１４６１号公報
【特許文献２】特開２０１０−０１６３２７号公報
【特許文献３】特開２０１０−０７３８３３号公報
【発明の概要】
【発明が解決しようとする課題】
【００１０】
しかしながら、補強部８ａを挟む内外方向の肉厚Ｔ５，Ｔ６を略均一としても、上述した表示部２の反りの発生要因となり得る表裏方向の肉厚に関しては、例えば、肉厚Ｔ７とＴ８、肉厚Ｔ９とＴ８、肉厚Ｔ１０とＴ１１のように、全体としては不均一であった。
【００１１】
なお、肉抜き部９ｂはヒケ防止等のために形成されたものであって、枠体９の内側の取付台部９ａとして形成したものではなく、枠体９の断面形状を機能的又は意匠的に所定形状に確保するための枠体９の断面形状及び補強部８ａの屈曲形状とはなっていない。
【００１２】
すなわち、液晶パネル２ａを設置するために取付台部５ａ（９ａ）を枠体５（９）の内側に形成した場合にあっては、上述した補強部４ａのように、表面側と裏面側とに複数回屈曲させた構成を採用する必要があることと、プレス加工後のスプリングバック等を考慮する必要がある。
【００１３】
したがって、図８（Ｃ）に示すように、内側から外側（外縁側）に向かう程、表面側に向けて階段状に直角に屈曲形成させることは実現可能であるかもしれないが、表面側と裏面側とに複数回直角に屈曲させることは困難であった。
【００１４】
しかも、図８に示した構成のように、その表裏で肉厚が異なる場合、インサート成形時の金型への溶融樹脂材料の充填量は、金属板４，８の表面側と裏面側とで大きく異なっている。これにより、例えば、成形機の射出ノズルからスプルー、ランナー、ゲート等を経由する溶融樹脂材料の経路設計等が複雑化し、溶融樹脂材料を満遍なく金型８に導き難いという問題も生じていた。
【００１５】
本発明は、このような事情に鑑みてなされたものであり、金属板をインサート成形して表面に取付台部を形成した電子機器の筐体について、反りの発生を抑制することを目的とする。
【課題を解決するための手段】
【００１６】
上記の目的を達成するために、本発明に係る電子機器の筐体は、周縁部に屈曲された補強部を有する金属板と、前記補強部を覆うようにインサート成形により形成された樹脂製の枠体と、を備えた電子機器の筐体において、前記枠体は、前記金属板の表面側の表面に段差状の取付台部が設けられるとともに、前記金属板より表面側の肉厚と裏面側の肉厚が略等しいことを特徴とする。
【００１７】
本発明の構成によれば、筐体全体としての反りの発生を抑制し得て、高品質化に貢献することができる。
【発明の効果】
【００１８】
本発明に係る電子機器の筐体によれば、筐体全体としての反りの発生を抑制し得て、高品質化に貢献することができる。
【図面の簡単な説明】
【００１９】
【図１】本発明の一実施形態に係る電子機器の筐体を備えた電子機器としての携帯電話端末の斜視図である。
【図２】本発明の一実施形態に係る電子機器の筐体を備えた電子機器の表示部の分解斜視図である。
【図３】本発明の一実施形態に係る電子機器の筐体としての表示枠体の斜視図である。
【図４】本発明の一実施形態に係る電子機器の筐体を示し、（Ａ）は図３のＨ−Ｈ線に沿う拡大断面図、（Ｂ）は本発明の一実施形態に係る電子機器の筐体を備えた電子機器としての携帯電話端末の側面図である。
【図５】本発明の一実施形態に係る電子機器の筐体を形成するための金型を示し、（Ａ）は溶融樹脂材料を供給した直後の金型の断面図、（Ｂ）は溶融樹脂材料が硬化して枠体を形成した状態の金型の断面図である。
【図６】（Ａ）は本発明の一実施形態に係る電子機器の筐体を形成するための金型と金属板の補強部との位置関係を示す金型の断面図、（Ｂ）は図５（Ｂ）のＩ−Ｉ線に沿う金型の断面図である。
【図７】従来の電子機器としての携帯電話端末を示し、（Ａ）は折り畳み状態の携帯電話端末の側面図、（Ｂ）は表示部に反りが発生した状態の形態電話端末の側面図である。
【図８】従来の電子機器の枠体を示し、（Ａ）は従来例１の要部の断面図、（Ｂ）は従来例２の要部の断面図、（Ｃ）は従来例３の要部の断面図である。
【図９】従来の電子機器の枠体を形成する金型と金属板との関係を示し、（Ａ）は溶融樹脂材料供給直後の金型の断面図、（Ｂ）は溶融樹脂材料が硬化して枠体を形成した状態の金型の断面図である。
【発明を実施するための形態】
【００２０】
次に、本発明の一実施形態に係る電子機器の筐体、金型、インサート成形装置、電子機器の筐体の成形方法について、折り畳み式の携帯電話端末に適用し、図面を参照して説明する。尚、以下に示す実施例は本発明の電子機器の筐体、金型、インサート成形装置、電子機器の筐体の成形方法における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００２１】
図１は本発明の一実施形態に係る電子機器の筐体を備えた電子機器としての携帯電話端末の斜視図、図２は本発明の一実施形態に係る電子機器の筐体を備えた電子機器の表示部の分解斜視図、図３は本発明の一実施形態に係る電子機器の筐体としての表示枠体の斜視図、図４は本発明の一実施形態に係る電子機器の筐体を示し、図４（Ａ）は図３のＨ−Ｈ線に沿う拡大断面図、図４（Ｂ）は本発明の一実施形態に係る電子機器の筐体を備えた電子機器としての携帯電話端末の側面図、図５は本発明の一実施形態に係る電子機器の筐体を形成するための金型を示し、図５（Ａ）は溶融樹脂材料を供給した直後の金型の断面図、図５（Ｂ）は溶融樹脂材料が硬化して枠体を形成した状態の金型の断面図、図６（Ａ）は本発明の一実施形態に係る電子機器の筐体を形成するための金型と金属板の補強部との位置関係を示す金型の断面図、図６（Ｂ）は図５（Ｂ）のＩ−Ｉ線に沿う金型の断面図である。
【００２２】
図１において、本発明の電子機器としての携帯電話端末１０は、操作部１１と表示部１２とがヒンジ部１３を介して回動可能に連結されている。ヒンジ部１３は、表示部１２の液晶表示パネル１４が表面に露出した使用状態である展開状態（図１の状態）と、液晶表示パネル１４が操作部１１と対面した折り畳み状態（図４（Ｂ)の状態）とに切り替え可能とする。なお、電子機器１０の電話機能等の通信機能は公知の機能を具備している。具体的には、操作部１１は、その表面に通信等に関わる各種操作のためのスイッチ１５が配置されているとともに、その内部にはバッテリや通信制御回路等（共に図示せず）を具備している。
【００２３】
また、表示部１２は、例えば、図２に示すように、表面側から順に、傷付き防止用のスクリーン１６、液晶表示パネル（液表表示ユニット）１４、液晶表示パネル１４を支持する支持筐体１７、表示機能（及びタッチパネル機能）を司る制御回路基板１８、樹脂製のリヤカバー１９を備えている。なお、表示機能（又はタッチパネル機能）は公知の機能を具備しているため、スクリーン１６、液晶表示パネル１４、制御回路基板１８、リヤカバー１９の具体的な構成や機能等の説明は省略する。
【００２４】
本発明の電子機器の筐体としての支持筐体１７は、図３に示すように、表示部１２の外形に沿う略矩形の薄肉金属プレートからなる金属板２０と、金属板２０の周囲にインサート成形により設けられると共に液晶表示パネル１４を支持するために内周側に段差状に形成された取付台部２１ａを一体に形成した樹脂製の枠体２１と、を備えている。
【００２５】
金属板２０は、図４（Ａ）に示すように、平面部２０ａ、下向傾斜面部２０ｂ、裏面側水平面部２０ｃ、上向傾斜面部２０ｄ、表面側水平面部２０ｅ、垂直面部２０ｆ、が縁部に向かってこの順に連続して屈曲形成されている。
【００２６】
平面部２０ａは、枠体２１の内側に位置して平面状に形成されている。下向傾斜面部２０ｂは、平面部２０ａの外縁から金属板２０の縁部側（外側）に向かい且つ表面側から裏面側に向かって図４で下向きに傾斜している。裏面側水平面部２０ｃは、下向傾斜面部２０ｂの外縁から金属板２０の縁部側に向かって略水平に延びている。上向傾斜面部２０ｄは、裏面側水平面部２０ｃの外縁から金属板２０の縁部側に向かい且つ裏面側から表面側に向かって図４で上向きに傾斜している。表面側水平面部２０ｅは、上向傾斜面部２０ｄの外縁から金属板２０の縁部側に向かって略水平に延びている。垂直面部２０ｆは、表面側水平面部２０ｅの外縁から金属板２０の裏面側に向かって略直角に延びている。
【００２７】
なお、下向傾斜面部２０ｂから垂直面部２０ｆに至る部分は補強部３０を構成している。また、下向傾斜面部２０ｂから上向傾斜面部２０ｄに至る屈曲部分は金属板２０の表面側に向かって断面略山形状に拡開する第１の屈曲部分３１を形成している。また、上向傾斜面部２０ｄから垂直面部２０ｆに至る屈曲部分は金属板２０の裏面側に向かって断面略山形状に拡開する第２の屈曲部分３２を形成している。ここで、第１の屈曲部分３１の一部を構成する裏面側水平面部２０ｃは、リヤカバー１９の表面と略平行している。また、第２の屈曲部分３２の一部を構成する表面側水平面部２０ｅは、液晶表示パネル１４の表面と略平行している。
【００２８】
これにより、液晶表示パネル１４（又はスクリーン１６）やリヤカバー１９を貼り付ける面を平滑面とすることができ、液晶表示パネル１４やリヤカバー１９との密着性が高まるため、携帯電話端末１０の防水機能を容易に確保することができる。しかも、防水のためのシールパッキン等を不要若しくは薄型化することができ、結果的に表示部１２の薄型化や軽量化が可能となる。
【００２９】
一方、このような金属板２０の補強部３０としての各面部２０ｂ〜２０ｆは、図５（Ａ），（Ｂ）に示すように、金型の上型（キャビティ）２２と下型２３（コア）とにインサートされた状態で射出成形される。この際、図５（Ａ）に示すように、金型内に溶融樹脂材料２４を供給し、その溶融樹脂材料２４が硬化することによって、図５（Ｂ）に示すように、所定形状の枠体２１が形成される。
【００３０】
この際、金型内の空間は、枠体２１が形成される際の溶融樹脂材料の硬化時の収縮を考慮した断面形状に形成されている。本実施の形態においては、図６（Ａ）に示すように、金型は、例えば、下向傾斜面部２０ｂと略直交する方向で金属板２０の表面側と裏面側とで枠体２１の外面までの肉厚が略等しくなるように溶融樹脂材料２４の流入スペースＡが設定されている。同様に、裏面側水平面部２０ｃと略直交する方向で金属板２０の表面側と裏面側とで枠体２１の外面までの肉厚が略等しくなるように流入スペースＢが設定されている。また、上向傾斜面部２０ｄと略直交する方向で金属板２０の表面側と裏面側とで枠体２１の外面までの肉厚が略等しくなるように流入スペースＣが設定されている。また、上向傾斜面部２０ｄの表面側と垂直面部２０ｆの先端との関係においても、金属板２０の表面側と裏面側とで枠体２１の肉厚が略等しくなるように流入スペースＤが設定されている。なお、これら各流入スペースＡ〜Ｄは、枠体２１の表裏方向の厚さに対して略等しい関係としたが、例えば、上向傾斜面部２０ｄと垂直面部２０ｆとで分割される流入スペースＥ（三ヵ所）においても収縮を考慮して均一に設定されている。また、図６に示す矢印Ｆ，Ｇに示す位置においても、金属板２０を挟む水平面内において流入スペースの均一化が図られている。
すなわち、矢印Ｆに示す位置では、下向傾斜面部２０ｂの表面側と上向傾斜面部２０ｄの表面側との間の流入スペースと、上向傾斜面部２０ｄの裏面から枠体２１の外面までの流入スペースとが略等しい。また、矢印Ｇに示す位置では、下向傾斜面部２０ｂの裏面から枠体２１の外面までの流入スペースと、上向傾斜面部２０ｄの裏面から枠体２１ｂの外面までの流入スペースとが略等しい。 
以上の条件を満たすために、枠体２１の取付台部２１ａの内側に段差を設け、リヤカバー１９との嵌合部に凹み２６を設けている。
従って、枠体２１の断面において、金属板２０より表面側の断面積と裏面側の断面積とが同程度である、すなわち、近似した面積となる。なお、垂直面部２０ｆの端部から延在した領域では、垂直面部２０ｆの端部から垂直方向に伸ばした仮想的な線に対し、金属板２０と同様に表面側と裏面側とを分けている。
【００３１】
従って、金型内の溶融樹脂材料２４が硬化した際には、例えば、図６（Ｂ）に示すように、金属板２０（裏面側水平面部２０ｃ）を挟む枠体２１の表面側と裏面側の肉厚も略等しくすることができ、反りが発生し難くなっている。これにより、例えば、図４（Ａ）に示すように、流入スペースＢに対応する枠体２１の部分では、その表面側の肉厚Ｔ１２と裏面側の肉厚Ｔ１３とを略等しくとすることができる。
【００３２】
このように、金型（上下型２２，２３）の断面方向に対して、枠体２１の成形時の断面方向の肉厚が金属板２０の表面側と裏面側とで略等しくなるように流入スペースＡ〜Ｄ（Ｅ〜Ｇ）が設定されている。したがって、金型の断面方向での溶融樹脂材料２４を金属板２０の表面側と裏面側とで略均一に供給することができる。また、枠体２１の全周に対して、例えば、図４（Ｂ）に示すように、表示部１２の肉厚が自由端側（ヒンジ部とは逆側）に向けて先細り形状としていても、金属板２０の表面側と裏面側とで枠体２１の肉厚が略等しくなるように配置する。これにより、溶融樹脂材料２４の全体供給量においても金属板２０の表面側と裏面側とで略均一とすることができる。また、図示を略する射出ノズルから溶融樹脂を金型に注入し、その溶融樹脂材料がスプルー、ランナー、ゲート、キャビティ（上型２２）等へと供給する流路設計の容易化に貢献することができるうえ、溶融樹脂が不測に供給されない等の不具合も抑制することができる。
【００３３】
このように、本発明の電子機器の筐体にあっては、周縁部に屈曲された補強部３０を一体に備えた金属板と、補強部３０を覆うようにインサート成形により形成された樹脂製の枠体と、を備えた電子機器の筐体において、枠体２１は金属板２０の表面側の表面に段差状の取付台部２１ａが形成されるとともに、金属板２０より表面側の肉厚と裏面側の肉厚が等しい。
【００３４】
ところで、上記実施の形態では、本発明の電子機器に折り畳み方式の携帯電話端末１０の表示部１２を例に説明したが、例えば、操作スイッチとしてスイッチ１５を配置した操作部１１や操作スイッチとしてのテンキー等を備えた電卓等の各種電子機器、或いは、液晶表示パネルとしてタッチパネル方式の液晶表示パネルを備えたスマートフォンやタブレット端末、パーソナル・コンピュータ、または、ＰＤＡ等の電子機器のように、金属板を用いるとともに、その金属板の周縁部に額縁状の枠体を備え、その枠体に操作スイッチや液晶表示パネル等を配置した電子機器全般に適用することができる。
【００３５】
また、上記実施の形態では、補強部３０を構成する各面部２０ｂ〜２０ｆに対応した断面方向で直交する流入スペースＡ〜Ｇを均一とした例を開示したが、例えば、流入スペースＢを均一化し、対応する枠体２１の肉厚Ｔ１２，Ｔ１３を略等しくする等、その場所や設定数は限定されるものではなく、例えば、肉厚Ｔ１２，Ｔ１３に対応する部位のみを均一としても反りの発生を抑制することができる。
また、上記実施の形態では、枠体２１に樹脂材料を用いたが、金属板２０の材料よりも硬化時に収縮率が大きい材料であれば樹脂材料に限るものではなく、金属材料でもよい。
【符号の説明】
【００３６】
１０…携帯電話端末（電子機器）
１１…操作部
１２…表示部
１３…ヒンジ部
１４…液晶表示パネル
１５…スイッチ
１６…スクリーン
１７…支持筐体（電子機器の筐体）
１８…制御回路基板
１９…リヤカバー
２０…金属板
２０ａ…水平面部
２０ｂ…下向傾斜面部（補強部・第１の屈曲部分）
２０ｃ…裏面側水平面部（補強部・第１の屈曲部分）
２０ｄ…上向き傾斜面部（補強部・第１，第２の屈曲部分）
２０ｅ…表面側水平面部（補強部・第２の屈曲部分）
２０ｆ…垂直面部（補強部・第２の屈曲部分）
２１…枠体
２１ａ…取付台部
２２…上型（キャビティ）
２３…下型（コア）
２４…溶融樹脂材料
２６…凹み
３０…補強部
３１…第１の屈曲部分
３２…第２の屈曲部分
Ｔ１２…肉厚(表面側）
Ｔ１３…肉厚(裏面側）
【図１】
2013089879.tif 000003
【図２】
2013089879.tif 000004
【図３】
2013089879.tif 000005
【図４】
2013089879.tif 000006
【図５】
2013089879.tif 000007
【図６】
2013089879.tif 000008
【図７】
2013089879.tif 000009
【図８】
2013089879.tif 000010
【図９】
2013089879.tif 000011